(57)【特許請求の範囲】
【請求項１】
貯留容器に貯留された診療液を患部へ向けて供給する注液装置と、ハンドピースを装着するマイクロモータと、を少なくとも有し、前記注液装置は、前記貯留容器に貯留された前記診療液を大気圧に開放した状態で吸引するポンプと、前記ポンプから前記診療液を患部へ向けて送出する送出管と、を備えてなる歯科診療モジュール、
前記注液装置と前記マイクロモータとを収容する運搬可能なケース、
および、前記ケースに装備され前記貯留容器を保持する容器ホルダ、を備え、
前記貯留容器は、ペットボトルの本体部であり、
前記容器ホルダは、前記貯留容器を保持できる形状に曲げられた部材から形成されており、逆Ｕ字状のフック部を有し、前記ケースの壁部には、前記容器ホルダの前記フック部を引っ掛けるホルダ係止部が設けられていることを特徴とする可搬式歯科診療装置。
【請求項２】
貯留容器に貯留された診療液を患部へ向けて供給する注液装置と、ハンドピースを装着するマイクロモータと、を少なくとも有し、前記注液装置は、前記貯留容器に貯留された前記診療液を大気圧に開放した状態で吸入管を介して吸引するポンプと、前記ポンプから前記診療液を患部へ向けて送出する送出管と、を備えてなる歯科診療モジュール、
前記注液装置と前記マイクロモータとを収容する運搬可能なケース、
および、前記ケースに装備され前記貯留容器を保持する容器ホルダ、を備え、
前記貯留容器は、ペットボトルの本体部であり、
前記吸入管にチューブの一端が接続され、該チューブの他端が前記貯留容器の口部に螺着可能なキャップに形成された貫通孔に挿通され、該キャップを前記貯留容器の口部に螺着させることにより前記チューブの他端が前記貯留容器の中に挿入されるように構成したことを特徴とする可搬式歯科診療装置。
【発明の詳細な説明】
【技術分野】
【０００１】
本発明は、可搬式歯科診療装置に係り、特に、診療液を患部へ向けて供給する注液装置とマイクロモータとを備えた可搬式歯科診療装置に関する。
【背景技術】
【０００２】
近時、歯科医療の分野において、被災地や僻地等における停電や断水等による不自由な環境にある環境弱者、および自宅や病院等の訪問先での歯科診療を必要とする高齢者や疾病等をかかえた身体的弱者に対して必要な歯科医療サービスを円滑かつ機動的に提供することが求められる。
【０００３】
このような状況を鑑み、従来、種々の機能を備えた利便性の高い移動式歯科診療装置が提案されている（例えば、特許文献１）。
特許文献１に記載の移動式歯科診療装置は、診療室に固定設置された常設式の歯科診療ユニットを動力源等からなる基礎ユニットと複数の着脱可能な診療モジュールとから構成したものである。
そして、常設診療時は、すべての診療モジュールを装備して全機能を使用可能にし、移動診療時には、用途に応じて被災地や患者の自宅等に必要な複数の診療モジュールを運搬可能に再構成して使用することができる。
【０００４】
再構成可能に構成した診療モジュールには、歯科用インスツルメント（エアタービン、シリンジ、マイクロモータ、スケーラ等）を任意に選択して接続できるようにしたインスツルメントモジュールがある。そして、このインスツルメントモジュールに外部供給源として水タンクやエア供給源を接続して、運搬可能な多用途に適用できる移動型診療装置として再構成する種々のダイナミックインスツルメントモジュール（ＤＩモジュール）が提案されている。
【０００５】
例えば、ＤＩモジュールにおける診療液（患部の洗浄や冷却に使用する水や洗浄液）を患部へ向けて供給する装置（注液装置）では、外部供給源として接続された水タンクは、一定の流量を安定して供給するために、密閉された耐圧構造の圧力容器からなり、エア供給源（コンプレッサ）から適正に圧力調整された圧縮空気を水タンクに充填して容器内に圧縮圧力を発生させることで、歯科用インスツルメントや患部に洗浄や冷却のための水を供給するようになっている（圧縮圧力式の注液装置）。
【先行技術文献】
【特許文献】
【０００６】
【特許文献１】特開２０１３−８５５９４号公報（請求項１〜請求項４、段落００３０〜００３７、図１〜図３）
【発明の概要】
【発明が解決しようとする課題】
【０００７】
しかしながら、従来の圧縮圧力式の注液装置は、水タンクが耐圧構造の圧力容器（圧力タンク）からなりコンプレッサで圧縮エアを充填するため、構造や取り扱いが複雑になり、被災地や訪問診療先において水タンクが損傷したり紛失したりすると使用できなくなるという問題があった。また、被災地や訪問診療先で水を調達できても水タンクに水を移し替えなければならないため、煩雑で利便性が悪く緊急時に円滑かつ機動的に対応しにくいという問題があった。
【０００８】
そこで、本発明は、前記した問題点を解決すべく、訪問先での歯科診療時には、可搬性、機動性に優れ、利便性を向上させて円滑に使用できるとともに、診療室常設の歯科診療ユニットにも柔軟に適用可能で多目的に使用できる可搬式歯科診療装置を提供することを課題とする。
【課題を解決するための手段】
【０００９】
前記課題を解決するため、請求項１に係る発明は、貯留容器に貯留された診療液を患部へ向けて供給する注液装置と、ハンドピースを装着するマイクロモータと、を少なくとも有し、前記注液装置は、前記貯留容器に貯留された前記診療液を大気圧に開放した状態で吸引するポンプと、前記ポンプから前記診療液を患部へ向けて送出する送出管と、を備えてなる歯科診療モジュール、前記注液装置と前記マイクロモータとを収容する運搬可能なケース、および、前記ケースに装備され前記貯留容器を保持する容器ホルダ、を備え、
前記貯留容器は、ペットボトルの本体部であり、前記容器ホルダは、前記貯留容器を保持できる形状に曲げられた部材から形成されており、逆Ｕ字状のフック部を有し、前記ケースの壁部には、前記容器ホルダの前記フック部を引っ掛けるホルダ係止部が設けられていることを特徴とする可搬式歯科診療装置である。
【００１０】
本発明に係る歯科診療モジュールは、大気圧に開放した状態で貯留容器から吸引する注液装置とマイクロモータとを組み合わせたことで、圧縮圧力式の注液装置のようにコンプレッサ（エア供給源）を必要としないため、コンパクトな構成によりマイクロモータに装着したハンドピースに診療液を供給することができる。このため、訪問先での歯科診療時においても可搬性、機動性に優れ、利便性を向上させることができる。
【００１１】
なお、診療液とは、一般的には、インスツルメント等から患部に供給して、患部を洗浄したり切削熱による温度上昇を防止するために冷却したりする水（水道水）であるが、特に限定されるものではないので、洗浄液や消毒液等を総称する液体の意である。
【００１２】
また、診療液を大気圧に開放した状態で吸引することで、圧縮圧力式の注液装置のように貯留容器として耐圧性の圧力タンクを使用する必要がないので、構造を簡素化してコンパクトに構成でき、訪問先で入手しやすく汎用性が高い貯留容器を適宜使用することができるため、取り扱いが容易で機動性が向上し、被災地等においても柔軟に対応することができる。
さらに、貯留容器に診療液を移し替えずに貯留容器を容器ごと例えば水入りのペットボトル等の市販の容器に交換することもできるため、水道水が供給されない被災地等においてもペットボトル等を利用して迅速かつ確実に注液装置を構成することができる。
【００１３】
このようにして、本発明に係る歯科診療モジュールは、被災地や僻地等のように洗浄用の水道水（診療液）が確保しにくい場所や訪問先での歯科診療時においても、必要な歯科医療サービスを円滑かつ機動的に提供することができる。
また、貯留容器としてペットボトルを使用することで、入手が容易で汎用性に優れ、貯留容器に診療液を移し替えることなくペットボトルを交換すればよいため、可搬性、取り扱い性、および利便性に優れる。
また、前記注液装置等を運搬可能なケースに収容することで、より可搬性、機動性の他、耐久性に優れたものとなる。
また、容器ホルダを装備することで、貯留容器の交換が容易であり、さらに貯留容器を安定して保持できるからより利便性に優れる。
【００１４】
請求項２に係る発明は、貯留容器に貯留された診療液を患部へ向けて供給する注液装置と、ハンドピースを装着するマイクロモータと、を少なくとも有し、前記注液装置は、前記貯留容器に貯留された前記診療液を大気圧に開放した状態で吸入管を介して吸引するポンプと、前記ポンプから前記診療液を患部へ向けて送出する送出管と、を備えてなる歯科診療モジュール、前記注液装置と前記マイクロモータとを収容する運搬可能なケース、および、前記ケースに装備され前記貯留容器を保持する容器ホルダ、を備え、前記貯留容器は、ペットボトルの本体部であり、前記吸入管にチューブの一端が接続され、該チューブの他端が前記貯留容器の口部に螺着可能なキャップに形成された貫通孔に挿通され、該キャップを前記貯留容器の口部に螺着させることにより前記チューブの他端が前記貯留容器の中に挿入されるように構成したことを特徴とする可搬式歯科診療装置である。
【発明の効果】
【００２４】
本発明によれば、訪問先での歯科診療時には、可搬性、機動性に優れ、利便性を向上させて円滑に使用できるとともに、診療室常設の歯科診療ユニットにも柔軟に適用可能で多目的に使用できる可搬式歯科診療装置を提供することができる。
【図面の簡単な説明】
【００２５】
【図１】本発明の一実施形態に係る可搬式歯科診療装置の右手前上方から見た斜視図である。
【図２】図１に示す可搬式歯科診療装置の左手前上方から見た斜視図である。
【図３】図１に示す可搬式歯科診療装置の上壁および側壁を省略して示す斜視図である。
【図４】一方のハンガーの斜視図であり、（ａ）は前方から見た斜視図、（ｂ）は後方から見た斜視図である。
【図５】他方のハンガーの斜視図であり、（ａ）は前方から見た斜視図、（ｂ）は後方から見た斜視図である。
【図６】２つのハンガーを接続する方法を説明するための斜視図である。
【図７】２つのハンガーを接続した状態で被設置箇所に設置する方法を説明するための斜視図である。
【図８】可搬式歯科診療装置の上壁、側壁、電源、および制御部を省略して示す斜視図である。
【図９】図８の平面図である。
【図１０】本発明の他の実施形態に係る歯科診療ユニットの斜視図である。
【発明を実施するための形態】
【００２６】
本発明の実施形態について、適宜図面を参照しながら詳細に説明する。
なお、以下に示す図面において、同一の部材または相当する部材には同一の参照符号を付している。また、部材のサイズおよび形状は、説明の便宜のため、変形または誇張して模式的に表す場合がある。
【００２７】
図１は、本発明の一実施形態に係る可搬式歯科診療装置１００の右手前上方から見た斜視図である。図２は、図１に示す可搬式歯科診療装置１００の左手前上方から見た斜視図である。図３は、図１に示す可搬式歯科診療装置１００の上壁１１および側壁１２，１３を省略して示す斜視図である。ここで、図１〜図３は、前扉１４が開かれた状態を示す。なお、説明を明確にするため、図１に示すように前後左右上下の方向を設定する（以降の図でも同様）。
【００２８】
可搬式歯科診療装置１００は、訪問先に持ち運んで患者に歯科診療を施すための装置である。本発明において「訪問先」の用語は、歯科診療を受ける患者の自宅のほか、老人ホーム等の施設を含む各種往診先にも適用される概念として使用する。
【００２９】
図１および図２に示すように、本発明の一実施形態に係る可搬式歯科診療装置１００は、訪問先での歯科診療に用いる器材を収容する運搬可能なケース１０を備えている。
【００３０】
ケース１０は、ここでは樹脂製のハードケースであるが、これに限定されるものではなく、例えば布や皮等の柔軟材料を用いて形成されたソフトケースであってもよく、あるいは金属製であってもよい。また、ケース１０は、ここでは直方体を呈しているが、これに限定されるものではなく、例えば多面体や球体を呈していてもよい。
【００３１】
図３に示すように、ケース１０内には、インスツルメント２０に電力を供給する駆動源としての電源（図示せず）と、インスツルメント２０の動作の制御を行う制御部４２とが収容されている。また、ケース１０内には、ユーザの操作を受け付ける操作部４３が配置されており、操作部４３は、例えば主電源スイッチ４４等の各種スイッチや、動作制御用のダイヤル等を有している。
【００３２】
インスツルメント２０の用語は、ここでは、ハンドピースを装着するマイクロモータ２１、およびスケーラ２２の総称として使用する。ただし、インスツルメント２０は、２つに限定されるものではなく、単独（１つ）で、あるいは３つ以上で使用されてもよい。例えば、シリンジ等の他の種類のインスツルメント２０が使用されてもよい。
【００３３】
インスツルメント２０は、ここでは、図１に示すケース１０とは別のケース（図示せず）に収容されて、ケース１０とともに運搬されるように構成されている。このように複数のケースを使用する場合、可搬式歯科診療装置１００は、これらのケースを載せて運搬するカート（図示せず）を備えることが好ましい。ただし、インスツルメント２０もケース１０に収容されるように構成されてもよい。
【００３４】
ケースに収容される訪問先での歯科診療に用いる器材としては、インスツルメント２０のほか、コンプレッサ、排唾用バキューム装置、歯科材料、薬品、ポータブルレントゲン装置、照明器具、生体情報測定装置、レーザ装置、情報端末、訪問診療用マニュアル等が挙げられる。
【００３５】
ハンドピースを装着したマイクロモータ２１、およびスケーラ２２は、それぞれホース２３，２４の先端側に設けられた先端側接続部２５，２６に接続して使用することができる。ホース２３，２４は、例えば可撓性を有する樹脂製のホースである。ホース２３，２４の基端側に設けられた基端側接続部２７，２８は、ケース１０内に配置されるケース側接続部１７に接続される。電源（図示せず）からマイクロモータ２１およびスケーラ２２への電力の供給は、ホース２３，２４内を通るケーブル（図示せず）を通じて行われる。図３中の符号４５は、ホース２３，２４をケース１０内に収容する際に、小さく束ねて止めるためのベルトである。
【００３６】
図１および図２に示すように、ケース１０は、上壁１１、側壁１２（図１参照），１３（図２参照）、開閉可能な前扉１４、背壁１５（図３参照）、および底壁を有している。上壁１１の中央には、歯科医師や助手等のユーザが持ち運ぶ際に掴む取っ手１１１が取り付けられている。また、側壁１２（図２参照），１３には、後記する容器ホルダ５３を係止するホルダ係止部１９が設けられている。
【００３７】
前扉１４の内側には、電源（図示せず）に繋がるインスツルメント２０を保持するインスツルメント保持装置としてのハンガー３１，３２をそれぞれ着脱可能に収容する四角皿状の収容部１４１，１４２が設けられている。収容部１４１，１４２の底部には、後記するように磁石を有するハンガー３１，３２がそれぞれ磁着されるように、例えば鋼板等の磁性材料から形成される金属板が敷設されている。
【００３８】
このように、可搬式歯科診療装置１００は、ケース１０と分離可能に、ケース１０内に収容されるハンガー３１，３２を備えている（図２参照）。ただし、ハンガー３１，３２は、ケース１０と分離可能に、ケース１０の例えば側壁１２，１３に、例えば磁着等により保持されていてもよい。
【００３９】
側壁１２，１３には、例えば鋼板等の磁性材料から形成される金属板１８が取り付けられている。したがって、側壁１２，１３は、後記するように磁石を有するハンガー３１，３２が設置される被設置箇所として用いることが可能となっている（図１参照）。金属板１８は、ここでは側壁１２，１３の上部および中央部に取り付けられているが、金属板１８の側壁１２，１３への取付け箇所は、任意に変更可能である。また、ケース１０自体が鋼板等の磁性材料から形成されていてもよい。さらに、前扉を横方向に回動して開閉できるように構成して、この前扉の内面を、ハンガー３１，３２が設置される被設置箇所として用いることも可能である。
【００４０】
可搬式歯科診療装置１００は、ここでは、２つのハンガー３１，３２を備えている。ただし、可搬式歯科診療装置１００に備えられるハンガーは、２つに限定されるものではなく、単独（１つ）であってもよく、あるいは３つ以上であってもよい。
【００４１】
図４は、一方のハンガー３１の斜視図であり、（ａ）は正面側から見た斜視図、（ｂ）は背面側から見た斜視図である。図５は、他方のハンガー３２の斜視図であり、（ａ）は正面側から見た斜視図、（ｂ）は背面側から見た斜視図である。なお、ハンガー３１，３２において、係止部３１２，３２２が設けられている面を正面とする。
【００４２】
図４に示すように、一方のハンガー３１は、略直方体を呈するブロック形状の本体部３１１と、本体部３１１の正面側に設けられ、ハンドピースを装着するマイクロモータ２１を係止する係止部３１２と、本体部３１１の背面側に設けられ、該ハンガー３１が設置される被設置箇所に着脱自在に設置する設置部３１３と、を有している。ハンガー３１は、例えば樹脂製である。
【００４３】
係止部３１２は、逆円錐テーパ面形状、すなわち下方に向かって縮径した円錐面形状を呈している。そして、先端側接続部２５に接続されハンドピースを装着したマイクロモータ２１を係止部３１２に対して上から下に差し込んで係止させたり、下から上に持ち上げて引き出したりすることが可能となっている（図１参照）。
【００４４】
設置部３１３は、ここでは磁石であり、本体部３１１の背面側に接着やインサート成形等により固着されている。図４では、設置部３１３は、１枚の板状の磁石であるが、例えば本体部３１１の背面側に複数の磁石が固着されていてもよい。
【００４５】
また、ハンガー３１は、ハンガー３２（図５参照）と分離可能に接続する接続部３１４を有している。接続部３１４はここでは２個設けられているが、単独（１つ）であってもよく、あるいは３つ以上であってもよい。また、接続部３１４は、ハンガー３１の係止部３１２が設けられる面を正面とした場合の右側面３１５に設けられており、断面Ｔ字状の凸形状を呈している。なお、接続部３１４は、接続して固定できる形状であれば断面Ｔ字状の凸形状に限定されるものではなく、例えば断面丸型（○型）の凸形状等であってもよい。
【００４６】
図５に示すように、他方のハンガー３２は、略直方体を呈するブロック形状の本体部３２１と、本体部３２１の正面側に設けられ、スケーラ２２を係止する係止部３２２と、本体部３２１の背面側に設けられ、該ハンガー３２が設置される被設置箇所に着脱自在に設置する設置部３２３と、を有している。ハンガー３２は、例えば樹脂製である。
【００４７】
係止部３２２は、逆円錐テーパ面形状、すなわち下方に向かって縮径した円錐面形状を呈している。そして、先端側接続部２６に接続されたスケーラ２２を係止部３２２に対して上から下に差し込んで係止させたり、下から上に持ち上げて引き出したりすることが可能となっている（図１参照）。
【００４８】
設置部３２３は、ここでは磁石であり、本体部３２１の背面側に接着やインサート成形等により固着されている。図５では、設置部３２３は、１枚の板状の磁石であるが、例えば本体部３２１の背面側に複数の磁石が固着されていてもよい。
【００４９】
また、ハンガー３２は、ハンガー３１（図４参照）と分離可能に接続する接続部３２４を有している。接続部３２４はここでは２個設けられているが、単独（１つ）であってもよく、あるいは３つ以上であってもよい。また、接続部３２４は、ハンガー３２の係止部３２２が設けられる面を正面とした場合の左側面３２５に設けられており、断面Ｔ字状の凹形状を呈している。なお、接続部３２４は、接続して固定できる形状であれば断面Ｔ字状の凹形状に限定されるものではなく、例えば断面丸型（○型）の凹形状等であってもよい。
【００５０】
なお、ハンガー３１とハンガー３２とは、ここでは異なる形状を呈しているが、同一形状であってもよく、ハンドピースを装着するマイクロモータ２１と、スケーラ２２とのいずれに対しても使用可能に構成されていてもよい。
【００５１】
図６は、２つのハンガー３１，３２を接続する方法を説明するための斜視図である。図７は、２つのハンガー３１，３２を接続した状態で被設置箇所に設置する方法を説明するための斜視図である。
【００５２】
図６に示すように、ハンガー３１とハンガー３２とは、相互に接続可能に構成されている。一方のハンガー３１の接続部３１４を他方のハンガー３２の接続部３２４に、図６中の矢印３３の方向に差し込むことにより、接続部３１４と接続部３２４とが相互に係合して、ハンガー３１とハンガー３２とが接続されるように構成されている。また、接続部３１４に設けられた凸部３１６が接続部３２４に設けられた凹部３２６にはまり込むことにより、ハンガー３１とハンガー３２とが互いに位置決め固定されるようになっている。そして、位置決め固定されたハンガー３１とハンガー３２とは、図６中の矢印３３と反対方向に所定の力を付与することにより、分離可能となっている。なお、接続部３１４，３２４は、前記した構成に限定されるものではなく、例えば面ファスナや磁石を利用したものであってもよい。
【００５３】
図７に示すように、接続部３１４，３２４により相互に接続されたハンガー３１とハンガー３２とは、２個の設置部３１３，３２３を用いて、例えばベッドの円柱形状のフレーム３４，３５等の曲面にも安定して設置されることが可能となっている。
【００５４】
図８は、可搬式歯科診療装置１００の上壁１１、側壁１２，１３、電源、および制御部４２を省略して示す斜視図である。図９は、図８の平面図である。ここで、図８および図９は、前扉１４が開かれた状態を示す。
【００５５】
図８および図９に示すように、ケース１０内の下部には、貯留容器５０に貯留された診療液を患部へ向けて供給する注液装置６０が収容されている。診療液とは、前記したように、歯科診療に用いる水、洗浄液、消毒液等を総称する液体をいう。
【００５６】
貯留容器５０は、ここではポリエチレンテレフタレート（ＰＥＴ）製のボトル、すなわちペットボトル、の本体部である。ただし、貯留容器５０は、これに限定されるものではなく、診療液を貯留できる容器であれば任意であり、例えば紙コップ（図示せず）等であってもよい。
【００５７】
可搬式歯科診療装置１００は、貯留容器５０を保持する容器ホルダ５３を備えている。容器ホルダ５３は、貯留容器５０を保持できる形状に曲げられた線状の部材から形成されており、逆Ｕ字状のフック部５４を有している。容器ホルダ５３は、フック部５４がケース１０のホルダ係止部１９（図２も参照）に係止されることによりケース１０に装備されている。ただし、貯留容器５０は、図８に示すケース１０とは別のケース（図示せず）に収容されることにより該ケースに装備され、ケース１０とともに運搬されるように構成されてもよい。この場合、可搬式歯科診療装置１００は複数のケースを備える。
【００５８】
ホルダ係止部１９は、容器ホルダ５３のフック部５４が引っ掛けられる形状に曲げられた線状の部材から形成されており、ケース１０の側壁１２（図２参照）に設けられている。ただし、ホルダ係止部１９は、これに限定されるものではなく、例えばケース１０の上壁１１（図２参照）に形成される凹穴であってもよい。
【００５９】
図９に示すように、注液装置６０は、貯留容器５０に貯留された診療液を大気圧に開放した状態で吸入管６３を介して吸引するポンプ６１と、ポンプ６１から診療液を患部へ向けて送出する送出管６２と、を備えている。注液装置６０の動作時には、吸入管６３にチューブ５５の一端が接続され、チューブ５５の他端が診療液を貯留した貯留容器５０の中に挿入される。チューブ５５は、例えば可撓性を有する樹脂製のチューブであり、ここでは、図８に示すケース１０とは別のケース（図示せず）に収容されて運搬されるようになっている。
【００６０】
なお、チューブ５５の他端がペットボトルの本体部である貯留容器５０の口部に螺着可能なキャップ（図示せず）に形成された貫通孔に挿通され、該キャップを貯留容器５０の口部に螺着させることにより、チューブ５５の他端が貯留容器５０の中に挿入されるように構成してもよい。
【００６１】
ポンプ６１は、本実施形態ではダイヤフラムポンプである。ダイヤフラムポンプは、ダイヤフラム（膜）を往復振動させることにより流体の吸引及び排出を行うものである。ここでは、ダイヤフラムポンプは、ポンプ室を形成する複数のダイヤフラムを備えており、モータ駆動にて回転する偏心回転軸の回転により揺動される揺動板によって前記ダイヤフラムが往復動されて、ポンプ動作が行われる。送出管６２は、診療液の流れ方向の下流側で２つに分岐した配管６４，６５を有している。一方の配管６４は、電磁弁６６を介してホース２３に繋がっており、他方の配管６５は、電磁弁６７を介してホース２４に繋がっている。操作部４３（図８参照）を通じたユーザの操作により、電磁弁６６，６７は注液量の制御を行う。
【００６２】
このように、可搬式歯科診療装置１００は、貯留容器５０に貯留された診療液を患部へ向けて供給する注液装置６０と、ハンドピースを装着するマイクロモータ２１と、を少なくとも有する歯科診療モジュール７０（図９参照）を備えている。また、本実施形態では、歯科診療モジュール７０は、スケーラ２２をさらに有している。
【００６３】
可搬式歯科診療装置１００は、外部電源からの電力を受ける電力接続部４６を備えている。電力接続部４６から供給される交流電力は、電源（図示せず）において所定の直流電力に変換される。
【００６４】
可搬式歯科診療装置１００は、外部水供給口４７と、外部エア供給口４８とをさらに備えている。外部水供給口４７を経て他の水源からの水をマイクロモータ２１に装着したハンドピースや、スケーラ２２に供給することができる。また、外部エア供給口４８を経てコンプレッサから供給されるエアを、ハンドピースを装着したマイクロモータ２１に送って冷却することができる。ただし、本発明において、外部水供給口４７および外部エア供給口４８は省略可能である。
【００６５】
次に、前記のように構成された可搬式歯科診療装置１００の作用について説明する。
訪問先での歯科診療を行う場合、歯科医師や助手等のユーザは、まず、訪問先で使用する器材を該訪問先に応じて適切に選択した上で、これらをケース１０に収容した可搬式歯科診療装置１００を準備する。ケース１０は単独で使用されてもよく、別のケースを含む複数のケースが使用されてもよい。
【００６６】
続いて、ユーザは、取っ手１１１を持って可搬式歯科診療装置１００を訪問先に運搬する。あるいは、ユーザは、可搬式歯科診療装置１００をカート（図示せず）に載せて訪問先に運搬する。ユーザは、訪問先到着後、可搬式歯科診療装置１００を、訪問先での歯科診療を受ける患者の近くに置いて使用する。
【００６７】
図２に示すように、まず、ユーザは、可搬式歯科診療装置１００の前扉１４を開く。続いて、ユーザは、ベルト４５を開放してホース２３，２４を伸張させる。また、ユーザは、収容部１４１，１４２にそれぞれ収容されているハンガー３１とハンガー３２とを、収容部１４１，１４２から取り出す。
【００６８】
図１に示すように、続いて、ユーザは、ハンガー３１とハンガー３２とを、被設置箇所としてのケース１０の側壁１２，１３における金属板１８（図１では側壁１２の金属板１８）に、設置部３１３，３２３（図４および図５参照）を用いて着脱自在にそれぞれ設置する。
【００６９】
このとき、ユーザは、ハンガー３１とハンガー３２とを、ケース１０の側壁１２と側壁１３とに分離して設置してもよい。また、ユーザは、ハンガー３１とハンガー３２とを、ケース１０を運搬するカート（図示せず）に設置してもよい。また、ユーザは、ハンガー３１とハンガー３２とを、訪問先での歯科診療を受ける患者を載置する載置装置、例えばベッドのフレームや車いすのアームレスト（いずれも図示せず）に設置してもよい。さらには、前記したように、ハンガー３１とハンガー３２とを接続部３１４，３２４により相互に接続し、２個の設置部３１３，３２３を用いて、例えばベッドの円柱形状のフレーム３４，３５等の曲面に一体として設置してもよい（図７参照）。本実施形態では、磁性材料から形成される金属部材があればこれを被設置箇所として利用して、設置部３１３，３２３を該金属部材に設置することが可能である。
【００７０】
続いて、ユーザは、ハンドピースを装着したマイクロモータ２１、およびスケーラ２２を、ホース２３，２４の先端側接続部２５，２６にそれぞれ接続し、ハンガー３１とハンガー３２とにそれぞれ係止させる（図１参照）。
【００７１】
また、図８および図９に示すように、ユーザは、容器ホルダ５３のフック部５４をホルダ係止部１９に係止させることにより、容器ホルダ５３をケース１０に取り付ける。さらに、ユーザは、診療液が貯留された貯留容器５０（ここではペットボトルの本体部）を、容器ホルダ５３に装着して保持させる。続いて、ユーザは、吸入管６３にチューブ５５の一端を接続するとともに、チューブ５５の他端を貯留容器５０の中に挿入する。
【００７２】
そして、歯科医師はハンドピースを装着したマイクロモータ２１、あるいはスケーラ２２をハンガー３１，３２から引き出して手に持ち、可搬式歯科診療装置１００を使用した訪問先での歯科診療を行う。
【００７３】
すなわち、ユーザは、操作部４３を操作することにより、マイクロモータ２１を回転させるとともに、マイクロモータ２１に装着したハンドピースの先端部から患部に注液することができる。このとき、ポンプ６１の動作により、図９中の矢印で示す方向に、貯留容器５０内の診療液が、チューブ５５、吸入管６３を介してポンプ６１に吸引された後、送出管６２（配管６４）、ホース２３を介してマイクロモータ２１に装着したハンドピースに供給される。マイクロモータ２１に装着したハンドピースから患部への注液量は、電磁弁６６により制御される。
【００７４】
また、ユーザは、操作部４３を操作することにより、スケーラ２２を動作させるとともに、スケーラ２２の先端部から患部に注液することができる。このとき、ポンプ６１の動作により、図９中の矢印で示す方向に、貯留容器５０内の診療液が、チューブ５５、吸入管６３を介してポンプ６１に吸引された後、送出管６２（配管６５）、ホース２４を介してスケーラ２２に供給される。スケーラ２２から患部への注液量は、電磁弁６７により制御される。
【００７５】
前記したように、本実施形態に係る歯科診療モジュール７０は、貯留容器５０に貯留された診療液を患部へ向けて供給する注液装置６０と、ハンドピースを装着するマイクロモータ２１と、を少なくとも有する。そして、注液装置６０は、貯留容器５０に貯留された診療液を大気圧に開放した状態で吸引するポンプ６１と、ポンプ６１から診療液を患部へ向けて送出する送出管６２と、を備えている。
【００７６】
歯科診療モジュール７０は、大気圧に開放した状態で貯留容器５０から吸引する注液装置６０とマイクロモータ２１とを組み合わせたことで、圧縮圧力式の注液装置のようにコンプレッサ（エア供給源）を必要としないため、コンパクトな構成によりマイクロモータ２１に装着したハンドピース等に診療液を供給することができる。このため、訪問先での歯科診療時においても可搬性、機動性に優れ、利便性を向上させることができる。
【００７７】
また、診療液を大気圧に開放した状態で吸引することで、圧縮圧力式の注液装置のように貯留容器として耐圧性の圧力タンクを使用する必要がないので、構造を簡素化してコンパクトに構成でき、訪問先で入手しやすく汎用性が高い貯留容器５０を適宜使用することができるため、取り扱いが容易で機動性が向上し、被災地等においても柔軟に対応することができる。
さらに、貯留容器５０に診療液を移し替えずに貯留容器５０を容器ごと例えば水入りのペットボトル等の市販の容器に交換することもできるため、水道水が供給されない被災地等においてもペットボトル等を利用して迅速かつ確実に注液装置６０を構成することができる。
【００７８】
このようにして、本実施形態に係る歯科診療モジュール７０は、被災地や僻地等のように洗浄用の水道水（診療液）が確保しにくい場所や訪問先での歯科診療時においても、必要な歯科医療サービスを円滑かつ機動的に提供することができる。
【００７９】
また、本実施形態では、ポンプ６１は、ダイヤフラムポンプである。このような構成によれば、電気で駆動するマイクロモータ２１を、小型軽量化に適したダイヤフラムポンプと組み合わせることで、コンプレッサ（エア供給源）を必要とせず、安定した十分な流量の診療液を供給することができるため、簡易かつコンパクトで多目的に適用可能な歯科診療モジュール７０を構成することができる。
【００８０】
また、本実施形態では、貯留容器５０は、ペットボトルの本体部である。このような構成によれば、貯留容器５０としてペットボトルを使用することで、入手が容易で汎用性に優れ、貯留容器５０に診療液を移し替えることなくペットボトルを交換すればよいため、可搬性、取り扱い性、および利便性に優れる。
【００８１】
また、本実施形態では、歯科診療モジュール７０と、注液装置６０とマイクロモータ２１とを収容する運搬可能なケース１０と、を備えた可搬式歯科診療装置１００が提供される。このような構成によれば、注液装置６０等を運搬可能なケース１０に収容することで、より可搬性、機動性の他、耐久性に優れたものとなる。
【００８２】
また、本実施形態では、可搬式歯科診療装置１００は、ケース１０に装備され貯留容器５０を保持する容器ホルダ５３を備えている。このような構成によれば、容器ホルダ５３を装備することで、貯留容器５０の交換が容易であり、さらに貯留容器５０を安定して保持できるからより利便性に優れる。
【００８３】
図１０は、本発明の他の実施形態に係る歯科診療ユニット２００の斜視図である。前記した実施形態と同一の部材または相当する部材には同一の参照符号を付して、重複した説明を適宜省略する。
【００８４】
図１０に示すように、歯科診療ユニット２００は、診療室に常設されるものであり、歯科医師が診療に使用するドクターテーブル２０１と、歯科医師の診療を補助する助手が使用するアシスタントテーブル２０２と、患者を載置するための患者用椅子２０３と、患者のうがい等に使用されるスピットン２０４と、診療時の照明として使用される無影灯２０５と、ユーザの操作を受け付けるフットコントローラ２０６とを備えている。
【００８５】
歯科診療ユニット２００は、ドクターテーブル２０１に歯科診療モジュール７０ａを備えている。歯科診療モジュール７０ａは、貯留容器５０に貯留された診療液を患部へ向けて供給する注液装置６０と、ハンドピースを装着するマイクロモータ２１と、を少なくとも有している。また、本実施形態では、歯科診療モジュール７０ａは、スケーラ２２、およびシリンジ２９をさらに有している。ハンドピースを装着したマイクロモータ２１、スケーラ２２、およびシリンジ２９は、ドクターテーブル２０１に設けられたインスツルメント保持装置（図示せず）に係止されている。
【００８６】
注液装置６０は、貯留容器５０に貯留された診療液を大気圧に開放した状態で吸入管６３を介して吸引するポンプ６１と、ポンプ６１から診療液を患部へ向けて送出する送出管６２と、を備えている。ポンプ６１は、ドクターテーブル２０１内に配置される。チューブ５５の一端が吸入管６３に後記する切換え装置２１２を介して接続され、チューブ５５の他端が診療液を貯留する貯留容器５０の中に挿入されている。送出管６２は、診療液の流れ方向の下流側で複数に分岐した配管（図示せず）を介して、マイクロモータ２１に装着したハンドピース、スケーラ２２、およびシリンジ２９にそれぞれ繋がっている。したがって、マイクロモータ２１に装着したハンドピースや、スケーラ２２、シリンジ２９に診療液を供給することができる。
【００８７】
また、歯科診療ユニット２００は、水道から供給される水道水が導入される導入管２１１と、導入管２１１を経て導入される水道水と貯留容器５０に貯留された診療液とを切り換える切換え装置２１２と、を備えている。
【００８８】
このような歯科診療ユニット２００によれば、導入管２１１を経て導入される水道水と貯留容器５０に貯留された診療液とを切り換える切換え装置２１２を備えたことで、常設診療時において、通常時には水道からの水（市水）を使用し、断水時等の水道が使用できないときには、歯科診療モジュール７０ａの貯留容器５０に貯留された診療液を使用することができるため、被災地や僻地等のように水が確保しにくい場所においても、必要な歯科医療サービスを円滑に提供することができる。
【００８９】
上述したように、前記した実施形態によれば、訪問先での歯科診療時には、可搬性、機動性に優れ、利便性を向上させて円滑に使用できるとともに、診療室常設の歯科診療ユニット２００にも柔軟に適用可能で多目的に使用できる歯科診療モジュール７０，７０ａ、可搬式歯科診療装置１００、および診療室常設の歯科診療ユニット２００を提供することができる。
【００９０】
以上、本発明について、実施形態に基づいて説明したが、本発明は、前記実施形態に記載した構成に限定されるものではなく、前記実施形態に記載した構成を適宜組み合わせ乃至選択することを含め、その趣旨を逸脱しない範囲において適宜その構成を変更することができるものである。また、前記実施形態の構成の一部について、追加、削除、置換をすることができる。
【００９１】
例えば、歯科診療ユニット２００に搭載される歯科診療モジュール７０ａを、歯科診療ユニット２００に対して着脱自在となるように構成してもよい。このように構成すれば、診療室常設の歯科診療ユニット２００において歯科診療モジュール７０ａを使用できることは勿論のこと、被災地や患者の自宅等に歯科診療モジュール７０ａを歯科診療ユニット２００から取り外して運搬し、訪問先での歯科診療にも使用することができる。
【符号の説明】
【００９２】
１０    ケース
１９    ホルダ係止部
２１    マイクロモータ
５０    貯留容器
５３    容器ホルダ
６０    注液装置
６１    ポンプ
６２    送出管
６３    吸入管
７０，７０ａ  歯科診療モジュール
１００  可搬式歯科診療装置
２００  歯科診療ユニット
２１１  導入管
２１２  切換え装置
【要約】
【課題】訪問先での歯科診療時には、可搬性、機動性に優れ、利便性を向上させて円滑に使用できるとともに、診療室常設の歯科診療ユニットにも柔軟に適用可能で多目的に使用できる歯科診療モジュール、可搬式歯科診療装置、および診療室常設の歯科診療ユニットを提供する。
【解決手段】歯科診療モジュール７０は、貯留容器５０に貯留された診療液を患部へ向けて供給する注液装置６０と、ハンドピースを装着するマイクロモータ２１と、を少なくとも有する。そして、注液装置６０は、貯留容器５０に貯留された診療液を大気圧に開放した状態で吸引するポンプ６１と、ポンプ６１から診療液を患部へ向けて送出する送出管６２と、を備えている。
【選択図】図９【図１】
0005624651.tif 000002
【図２】
0005624651.tif 000003
【図３】
0005624651.tif 000004
【図４】
0005624651.tif 000005
【図５】
0005624651.tif 000006
【図６】
0005624651.tif 000007
【図７】
0005624651.tif 000008
【図８】
0005624651.tif 000009
【図９】
0005624651.tif 000010
【図１０】
0005624651.tif 000011